(57)【要約】【課題】 どの程度の再生音量でも最適な音場を形成する音響再生装置を提供することを目的とするものである。【解決手段】入力端子１０１から入力される音響信号の音量を音量変更部１０５で変更し、遅延処理部１０６で１０５の出力信号を所定の時間だけ遅延させ、スピーカー１０２により再生する。制御部１０４により、ユーザが入力部１０３で選択した音量設定に応じて１０５の音量を変更し、音量の変化に伴って受聴者が感じる音場感や距離感の増減を考慮して、１０６の遅延量を変更する。これにより、どの再生音量でも最適な音場を形成することができる。【選択図】図１
2011166256.tif 000002
【特許請求の範囲】
【請求項１】
音響信号の音量を変更する音量変更部と、
自装置の音響出力端子ごとに前記音量変更部で音量が変更された音響信号の出力を遅延させる遅延処理部と、
前記音量変更部で変更する音響信号の音量に応じて前記遅延処理部が遅延させる音響信号の出力の遅延量を制御する制御部とを備え、
前記制御部は、前記音量変更部で変更する音響信号の音量が小さくなるほど遅延量を小さくするように遅延量を制御することを特徴とする音響再生装置。
【請求項２】
前記音量変更部は、前記音響出力端子ごとに設けられたことを特徴とする請求項１記載の音響再生装置。
【請求項３】
前記制御部に接続され、前記音量変更部にて変更する音量を選択するための入力部を備え、前記制御部は、前記入力部で選択された音量となるように前記音量変更部を制御することを特徴とする請求項１記載の音響再生装置。
【請求項４】
前記音量変更部は、前記音量変更部に入力された音響信号の周波数特性を変更する周波数特性変更部を備え、前記周波数変更部は、前記入力部で選択された音量に応じて前記音量変更部に入力された音響信号の周波数特性を変更することを特徴とする請求項３記載の音響再生装置。  
【発明の詳細な説明】
【技術分野】
【０００１】
本発明は、再生音量の大小にかかわらず、音像の距離感を損なうことなく再生することができる音響再生装置に関するものである。
【背景技術】
【０００２】
従来、複数のスピーカーを用いた音響再生システムにおいて、心地良い音場や音像の距離感、臨場感を実現するために、各スピーカー出力の音量や周波数特性、試聴位置への到達時間などを調整したものがある。
【０００３】
特に、小音量時の臨場感を実現するために、音量調整ボリウムとディレィー信号出力調整ボリウムとを連動コントロールとし、音量の減少に伴い、ディレィーレベルを増加させるようにしたものが知られている（例えば特許文献１参照）。
【先行技術文献】
【特許文献】
【０００４】
【特許文献１】特開昭６０−６２８００号公報
【発明の概要】
【発明が解決しようとする課題】
【０００５】
しかしながら、従来の音響再生装置においては、臨場感を実現するための付加音を生成するために、周波数補正回路とディレィー回路などで処理された信号を出力調整ボリウムより所望の虚音像の音量レベルで再生し、加算器にて直接音信号とで加算させるなどの処理が必要であるため、構成が複雑になり、高価なハードウェアが必要であるという問題があった。
【０００６】
本発明は、従来の問題を解決するためになされたもので、ユーザが選択する音量設定に合わせて音響信号の出力遅延量を制御することで、簡単な構成にて、小音量での再生時にも心地良い音場を実現することができる音響再生装置を提供することを目的とする。
【課題を解決するための手段】
【０００７】
上記目的を達成するために本発明は、音響信号の音量を変更する音量変更部と、自装置の音響出力端子ごとに前記音量変更部で音量が変更された音響信号の出力を遅延させる遅延処理部と、前記音量変更部で変更する音響信号の音量に応じて前記遅延処理部が遅延させる音響信号の出力の遅延量を制御する制御部とを備え、前記制御部は、前記音量変更部で変更する音響信号の音量が小さくなるほど遅延量を小さくするように遅延量を制御する構成を有している。
【発明の効果】
【０００８】
本発明によれば、再生音量が小さい場合に受聴位置の近くに設置したスピーカの出力信号の遅延量を短くすることにより、先行音効果によってそのスピーカへ音の定位が偏るため、音像を近くすることができる。したがって、小音量再生時にも、通常音量再生時と同じ距離感で音像を定位させることができ、心地良い音場を提供することができる。また、上記構成は複雑な回路を必要とせず、安価なハードウェアで実現可能である。
【図面の簡単な説明】
【０００９】
【図１】本発明の実施の形態における音響再生装置のブロック図
【図２】本発明の実施の形態におけるスピーカー配置の例を示す図
【図３】本発明の実施の形態における再生音量と遅延量の関係を示す図
【発明を実施するための最良の形態】
【００１０】
以下、本発明の実施の形態における音響再生装置について図面を参照しながら説明する。
【００１１】
図１は本発明の実施の形態における音響再生装置のブロック図である。
【００１２】
図１において、音響再生装置１０は、ＣＤプレーヤーなどの再生機器（図示せず）、音を放射するスピーカ１０２と接続可能に構成されている。音響再生装置１０は、再生機器から出力された音響信号に対して所望の処理をした後にスピーカ１０２から処理後の音響信号を音として放射する。
【００１３】
音響再生装置１０には、再生機器から出力された音響信号を入力する音響入力端子１０１が設けられており、音響入力端子１０１は再生機器が出力する音響信号の出力端子と接続される。
【００１４】
再生機器から出力された音響信号は、音響入力端子１０１を介して、音量変更部１０５に入力される。この音量変更部１０５は入力端子１０１から入力された音響信号の音量を変更するものであり、電子ボリウムや乗算回路が用いられる。
【００１５】
また、音量変更部１０５は制御部１０４にも接続されており、音量変更部１０５はこの制御部１０４から受信した制御信号に対応して音響信号の音量を変更する処理を行う。
【００１６】
音量変更部１０５にて音量が変更された音響信号は、遅延処理部１０６に入力される。遅延処理部１０６もまた制御部１０４に接続されており、制御部１０４から受信した制御信号に応じて、音響再生装置１０に複数設けられた音響出力端子１０７のそれぞれに対して設定された遅延量だけ、音量変更部１０５の出力信号を遅延させるものであり、遅延回路などから成る。
【００１７】
音響再生装置１０の音響出力端子１０７には、それぞれスピーカ１０２が接続される構成であり、スピーカ１０２が遅延処理部１０６の出力信号を試聴空間に音として放射する。
【００１８】
音響再生装置１０には、ユーザが音響再生装置１０の出力音量設定値を選択するための入力部１０３が設けられている。入力部１０３はノブ付きのロータリーエンコーダーなどが用いられる。ただし、入力部１０３は、ユーザの操作が、リモコンによる操作の場合は受信（受光）部、タッチパネルによる操作の場合は操作信号が入力されるものであれば良い。
【００１９】
制御部１０４は、ユーザが入力部１０３を用いて選択した音量設定値に基づき、音量変更部１０５および遅延処理部１０６を詳細後述するように制御するものであり、例えばＣＰＵやメモリ（ＲＯＭ、ＲＡＭ）を有したマイコンなどから成り、ＣＰＵは、ＲＯＭに格納されたコンピュータプログラムを、ＲＡＭを作業領域として使いながら実行する。
【００２０】
音響再生装置１０に設けられる音響出力端子１０７の端子は、１つ以上のスピーカ１０２に接続される。また、遅延処理部１０６は音響出力端子１０７ごとに遅延量が設定される。
【００２１】
なお、遅延処理部１０６と出力端子１０７との間に信号増幅器が用いられても良い。た
だし、その場合、信号増幅器は信号遅延量に影響を与えないものである必要がある。
【００２２】
以上のように構成された音響再生装置について、その動作を説明する。ただし、以下の説明において、音響再生装置には３つのスピーカが接続されるものとしている。
【００２３】
３つのスピーカは、図２に示すとおり、ユーザ（受聴者）の受聴位置に対して、受聴者の前方にＣスピーカ２０２Ｃ、受聴者の右方にＲスピーカ２０２Ｒ、受聴者の左方にＬスピーカ２０２Ｌがそれぞれ配置されている。
【００２４】
なお、図３において、音響再生装置１０は、スピーカと接続されていれば、どの位置に配置されても良いため、図示を省略している。
【００２５】
また、以下の説明において、３つのスピーカをまとめて示す際に「スピーカ２０２」と称することもある。図２に示すスピーカ構成の場合を例にその処理動作を説明する。
本実施の形態の音響再生装置は、出力端子毎に音響信号の遅延量を制御させるものであるが、説明をわかりやすくするために、まず、遅延量を制御しない場合の音像について説明する。
【００２６】
図２に示す状態において、遅延量を制御せずに音響再生装置１０からの出力音響信号を受聴すると、人間の聴覚特性によれば、音像の距離感は音の大きさの影響が大きいため、ユーザが音響再生装置１０を操作して再生音量を変更した場合、受聴者が感じる音像の距離感が変化する。
【００２７】
このため、ある再生音量では音像の距離が適切であっても、ユーザが再生音量を小さくするように変更した場合、受聴者が必要以上に音像を遠く感じることがある。
【００２８】
したがって、本実施の形態の音響再生装置１０は、以下のように動作し、各信号を処理する。
【００２９】
すなわち、音響再生装置１０が動作している状態において、ユーザが入力部１０３を操作してスピーカ１０２から放射される再生音量を所望の音量になるよう選択すると、この入力操作に応じた信号が制御部１０４に入力される。
【００３０】
例えば、入力部１０３にロータリーエンコーダが用いられている場合、ロータリーエンコーダの回転量（クリック数）に応じたパルスが入力操作に応じた信号として出力される。
【００３１】
制御部１０４には入力部１０３の出力信号に対する再生音量の増減値を示すデータテーブルが予めメモリに格納されており、入力部１０３から送られてきた信号を制御部１０４が検知すると、制御部１０４はデータテーブルを参照して、必要な制御信号を音量変更部１０５へ出力して再生音量の変更処理を音量変更部１０５に実行させる。
【００３２】
制御部１０４が音量変更部１０５へ再生音量の変更処理を実行させるための制御信号を送出するのと同時に、制御部１０４は、音響信号の出力端子毎に設けられている遅延処理部１０６のそれぞれに対して、音量変更手段１０５から出力される音響信号が所望の遅延量だけ遅延するように制御信号を出力する。
【００３３】
ここで、所望の遅延量とは、受聴者が感じる音像の距離感がどの音量に変更しも一定の距離感が維持されていると感じるように調整することによってあらかじめ求められた値であって、特定の再生音量に対してあらかじめ設定された遅延量を指し、データテーブルと
して制御部１０４のメモリに格納されている。
【００３４】
また、あらかじめ設定される遅延量は、出力端子数だけそれぞれ個別に設定してデータテーブルが作成されても良いし、複数の出力端子のうちの幾つかに対しては同じデータテーブルが共用されるようにしても良い。
【００３５】
この場合、出力端子数だけデータテーブルがあれば、それぞれの出力端子に異なる遅延量を設定できるため、選択できる遅延量の組み合わせが増えて調整がし易いと言う点で有用であるし、いくつかの出力端子分だけ共用する場合はメモリ容量が小さくて済む。
【００３６】
さらに、本実施の形態における再生音量と遅延量との関係は、図３に示すように、特定の大きさの再生音量Ｂまでは、再生音量の増加に伴って遅延量が増加するように設定される。
【００３７】
すなわち、音響再生装置１０を通常の音量（再生音量Ｂより大きい音量）で再生する時は、Ｌスピーカー２０２ＬおよびＲスピーカー２０２Ｒから出力される音響信号を一定時間（所望の遅延量）だけ遅延させて、先行音効果によりＣスピーカー２０２Ｃへ音像の定位を偏らせて、適度な距離感を実現する。
【００３８】
一方、音響再生装置１０を（再生音量Ｂ以上の音量）小音量（再生音量Ｂ以下の音量）で再生する時は、Ｌスピーカ２０２ＬおよびＲスピーカ２０２Ｒから出力される音響信号の遅延量を音響再生装置１０の出力音量を小さくするにつれて小さくなるように制御して、Ｃスピーカ２０２Ｃに対する先行音効果を弱める。これにより、通常音量で再生する時と音像の距離感が変わらないようにすることができる。
【００３９】
ただし、通常音量とは、たとえば６０〜９０ｄＢＳＰＬ程度の音量であり、小音量とは４０〜６０ｄＢＳＰＬ程度の音量である。したがって、通常音量と小音量との境界である特定の再生音量Ｂは一般的に６０ｄＢＳＰＬ程度の音量であると考えられるが、音響再生装置１０の民生器機への応用、車載機器への応用、コンサートホールで利用される業務用機器への応用など、機器の用途を考慮して設定される。
【００４０】
また、図３には、小音量時の遅延量を直線的に増加したものが示されているが、かならずしも直線的に増加する必要はない。
【００４１】
なお、図３では通常音量で再生する時の遅延量を一定としたが、音量が大きいために音像が近くなりすぎる場合は、さらに遅延量を増加させて音像の距離感が変化しないようにしてもよい。
【００４２】
以上のように本実施の形態によれば、小音量再生時にも、通常音量再生時と同じ距離感で音像を定位させることができ、心地良い音場を提供することができる。さらに、スピーカの出力信号を遅延させるものがあれば実現可能であるため、安価なハードウェアで実現できる。
【００４３】
そして、車載用の音響再生装置を考慮した場合、ユーザは、一人で乗車するときは大音量で迫力のある音楽を楽しむことが多いが、複数人で乗車するときは小音量でＢＧＭとして聴くことが多くなり、ユーザが音量変更の操作を頻発することになるため、本発明の音響再生装置を車載用の音響再生装置（車載オーディオ）として用いることは特に有用である。
【００４４】
なお、上述の説明においては図２のスピーカー配置を例としたが、他のスピーカ配置（スピーカの数、受聴者からみたスピーカの位置）についても同様の効果が得られる。
【００４５】
また、、上述の説明においては遅延処理部を用いて音像の距離感を制御したが、さらにスピーカ毎（あるいは出力端子毎）に音量変更部や周波数特性変更部（図示せず）を設けることにより効果を高めてもよい。
【００４６】
ただし、周波数特性変更部とは、音響再生装置に入力された音響信号に対して、その周波数特性が所望の特性となるよう信号処理を行うものであり、この場合の信号処理の方法については、公知の技術を適用して実現することが可能である。
【００４７】
ここで、本実施の形態においては、遅延手段の前段にこの周波数変更部を備えることで、加算器にて直接音信号とで加算させるなどの処理が不要となり、簡単な構成とすることができる。
【００４８】
また、上述の説明においてはハードウェアによる遅延量制御の実施例を示したが、ＤＳＰ（Ｄｉｇｉｔａｌ  Ｓｉｇｎａｌ  Ｐｒｏｃｅｓｓｏｒ）などを用いて、ソフトウェア処理で遅延量の制御を実現してもよい。その場合、音量変更部１０５は制御部１０４が指示した音量係数を音響信号に乗算する処理となり、遅延処理部１０６は制御部１０４が指示した遅延量だけ入出力遅延を持ったＦＩＦＯバッファなどで実現することが可能である。
【産業上の利用可能性】
【００４９】
本発明の音響再生装置は、再生音量の大小にかかわらず、音像の距離感を損なうことなく再生することができる音響再生装置として有用であり、特にユーザがさまざまな再生音量で音楽を聴くことが多い車載オーディオとして有用である。
【符号の説明】
【００５０】
１０１  入力端子
１０２  スピーカー
１０３  入力部
１０４  制御部
１０５  音量変更部
１０６  遅延処理部
１０７  出力端子
２０１  受聴位置
２０２Ｌ  Ｌスピーカー
２０２Ｒ  Ｒスピーカー
２０２Ｃ  Ｃスピーカー
【図１】
2011166256.tif 000003
【図２】
2011166256.tif 000004
【図３】
2011166256.tif 000005